【手続補正書】
【提出日】平成16年2月17日(2004.2.17)
【手続補正１】
【補正対象書類名】明細書
【補正対象項目名】特許請求の範囲
【補正方法】変更
【補正の内容】
【特許請求の範囲】
【請求項１】
ディスク状記録媒体を用いて記録再生ヘッドによりディジタル連続データの記録および再生を行うディスク装置において、
入力される第１および第２のディジタル連続データをそれぞれ−時的に蓄えるための第１および第２のバッファメモリと、
前記記録媒体上の半径位置の異なる第１および第２の記録領域への前記第１および第２のディジタル連続データの記録をそれぞれ時分割で交互に行うための制御を行う制御手段とを備え、
前記制御手段は、
前記第２のディジタル連続データの記録時と、前記記録再生ヘッドが前記第１の記録領域と第２の記録領域の間をアクセス中に入力される前記第１のディジタル連続データを前記第１のバッファメモリに書き込み、
前記第１のディジタル連続データの記録時と、前記記録再生ヘッドが前記第１の記録領域と第２の記録領域の間をアクセス中に入力される前記第２のディジタル連続データを前記第２のバッファメモリに書き込み、
前記第１のディジタル連続データの記録時には、前記第１のバッファメモリに蓄えられたディジタル連続データを前記入力される第１のディジタル連続データの平均ビットレートの２倍以上の記録速度で読み出して該第１の記録領域に記録し、前記第２のディジタル連続データの記録時には、前記第２のバッファメモリに蓄えられたディジタル連続データを前記入力される第１のディジタル連続データの平均ビットレートの２倍以上の記録速度で読み出して該第２の記録領域に記録する制御を行うことを特徴とするディスク装置．
【請求項２】
前記第１および第２の記録領域への前記第１および第２のディジタル連続データの記録を時分割で交互に行う際の第１のディジタル連続データの１回当たりの平均記録時間をＴｌ秒、第２のディジタル連続データの１回当たりの平均記録時間をＴ２秒、前記記録媒体の最大アクセス時間（前記記録再生ヘッドが前記記録媒体の最内周から最外周に移動するのに要するシーク時間に前記記録媒体が１回転する時間を加えた時間）をＳ秒、前記入力される第１および第２のディジタル連続データの平均ビットレートをＡ（ｂｐｓ）としたとき、前記第１のディジタル連続データの記録速度を（Ｔ１＋Ｔ２＋２Ｓ）＊Ａ／Ｔ１（ｂｐｓ）以上とし、前記第２のディジタル連続データの記録速度を（Ｔ１＋Ｔ２＋２Ｓ）＊Ａ／Ｔ２（ｂｐｓ）以上としたことを特徴とする請求項１に記載のディスク装置。
【請求項３】
ディスク状記録媒体を用いて記録再生ヘッドによりディジタル連続データの記録および再生を行うディスタ装置において、
前記記録媒体上の半径位置の異なる第１および第２の記録領域からそれぞれ再生される第１および第２のディジタル連続データを一時的に蓄えるための第１および第２のバッファメモリと、
前記第１および第２のディジタル連続データの再生をそれぞれ時分割で交互に行うための制御を行う制御手段とを備え、
前記制御手段は、
前記第２のディジタル連続データの再生時と前記記録再生ヘッドが前記第１の記録領域と第２の記録領域の間をアクセス中に再生すべき前記第１のディジタル連続データを該第１のディジタル連続データの平均ビットレートの２倍以上の再生速度で前記第１の記録領域から予め再生して前記第１のバッファメモリに書き込み、
前記第１のディジタル連続データの再生時と前記記録再生ヘッドが前記第１の記録領域と第２の記録領域の間をアクセス中に再生すべき第２のディジタル連続データを該第２のディジタル連続データの平均ビットレートの２倍以上の再生速度で前記第２の記録領域から予め再生して前記第２のバッファメモリに書き込み、
前記第１のディジタル連続データの再生時には、前記第１のバッファメモリに蓄えられたディジタル連続データを該第１のディジタル連続データのビットレートで読み出し、
前記第２のディジタル連続データの再生時には、前記第２のバッファメモリに蓄えられたディジタル連続データを該第２のディジタル連続データのビットレートで読み出す制御を行うことを特徴とするディスク装置．
【請求項４】
前記第１および第２の記録領域からの前記第１および第２のディジタル連続データの再生を時分割で交互に行う際の第１のディジタル連続データの１回当たりの平均再生時間をＴ１秒、箭２のディジタル連続データの１回当たりの平均再生時間をＴ２秒、前記記録媒体の最大アクセス時間（前記記錠再生ヘッドが前記記録媒体の最内周から最外周に移動するのに要するシーク時間に前記記録媒体が１回転する時間を加えた時間）をＳ秒、前記第１および第２のディジタル連続データの平均ビットレートをＡ（ｂｐｓ）としたとき、前記第１のディジタル連続データの再生速度を（Ｔｌ＋Ｔ２＋２Ｓ）＊Ａ／Ｔｌ（ｂｐｓ）以上とし、前記第２のディジタル連続データの再生速度を（Ｔｌ＋Ｔ２＋２Ｓ）＊Ａ／Ｔ２（ｂｐｓ）以上としたことを特放とする請求項３に記載のディスク装置．
【請求項５】
前記ディジタル連続データは第１、第２および第３のディジタル動画像データを有し、前記記録媒体は第１、第２および第３の記録領域を有し、前記第１のディジタル動画像データの平均記録時間をＴ１秒、第２のディジタル動画像データの平均記録時間をＴ２秒、第３のディジタル動画像データの平均記録時間をＴ３秒、前記ヘッドユニットが前記記録媒体の最内周から最外周に移動するのに要するシーク時間に前記記録媒体が１回転する時間を加えた時間を示す最大アクセス時間をＳ秒、前記入力されるディジタル動画像データの平均ビットレートをＡ（ｂｐｓ）としたとき、前記制御部は第１のディジタル動画像データの記録速度を（Ｔ１＋Ｔ２＋Ｔ３＋３＊Ｓ）＊Ａ／Ｔ１ｂｐｓ以上とし第２のディジタル動画像データの記録速度を（Ｔ１＋Ｔ２＋Ｔ３＋３＊Ｓ）＊Ａ／Ｔ２ｂｐｓ以上とし第３のディジタル動画像データの記録速度を（Ｔ１＋Ｔ２＋Ｔ３＋３＊Ｓ）＊Ａ／Ｔ３ｂｐｓ以上として記録制御を行う請求項１に記載のディスク装置。
【請求項６】
シーク失敗時の再試行回数の最大回数をＮとしたとき、前記制御部は第１のディジタル動画像データの記録速度を（Ｔ１＋Ｔ２＋Ｔ３＋３＊Ｓ＊（Ｎ＋１））＊Ａ／Ｔ１ｂｐ以上とし第２のディジタル動画像データの記録速度を（Ｔ１＋Ｔ２＋Ｔ３＋３＊Ｓ＊（Ｎ＋１））＊Ａ／２ｂｐｓ以上とし第３のディジタル動画像データの記録速度を（ＴＩ＋Ｔ２＋Ｔ３＋３＊Ｓ＊（Ｎ＋１）＊Ａ／Ｔ３ｂｐｓ以上として記録制御を行う請求項１に記載のディスク装置。
【請求項７】
前記ディジタル連続データは第１、第２および第３のディジタル動画像データを有し、前記記録媒体は第１、第２および第３の記録領域を有し、第１のディジタル連続データの平均再生時間をＴ１秒、第２のディジタル連続データの平均再生時間をＴ２秒、第３のディジタル連続データの平均再生時間をＴ３秒、前記記録再生ヘッドが前記記録媒体が１回転する時間を加えた時間を示す最大アクセス時間をＳ秒、再生されるディジタル動画像データの平均ビットレートをＡ（ｂｐｓ）としたとき、前記制御部は第１のディジタル動画像データの再生速度を（Ｔ１＋Ｔ２＋Ｔ３＋３＊Ｓ）＊Ａ／Ｔ１ｂｐｓ以上とし第２のディジタル動画像データの再生速度を（Ｔ１＋Ｔ２＋Ｔ３＋３＊Ｓ）＊Ａ／Ｔ２ｂｐｓ以上とし第３のディジタル動画像データの再生速度を（Ｔ１＋Ｔ２＋Ｔ３＋３＊ｓ）＊Ａ／Ｔ３ｂｐｓ以上として再生制御を行う請求項３に記載のディスク装置。
【請求項８】
前記ディジタル連続データは第１、第２および第３のディジタル動画像データを有し、前記記録媒体は第１、第２および第３の記録領域を有し、前記バッファメモリは前記第１及び第２ディジタル動画像データをそれぞれ一次記憶する第１、第２及び第３のバッファメモリを有し、第１のディジタル動画像データの平均再生時間をＴ１秒、第２のディジタル動画像データの平均再生時間をＴ２秒、第３のディジタル動画像データの平均再生時間をＴ３秒、前記ヘッドユニットが前記記録媒体が１回転する時間を加えた時間を示す最大アクセス時間をＳ秒、前記入力されるディジタル動画像データの平均ビットレートをＡ（ｂｐｓ）としたとき、前記制御手段は前記第１、第２及び第３バッファメモリ部の合計を（９＊Ｓ＋２Ｔ１＋２Ｔ２＋２Ｔ３）＊Ａビット以上として再生制御する請求項３に記載のディスク装置。
【請求項９】
前記ディジタル連続データは、Ｍ個のディジタル動画像データを有し、前記制御手段は、前記Ｍ個のディジタル動画像データを時間分割で同時記録するとき第１のディジタル動画像データの平均記録時間をＴ１秒、第２のディジタル動画像データの平均記録時間をＴ２秒、第３のディジタル動画像データの平均記録時間をＴ３秒、第ｍのディジタル動画像データの平均記録時間をＴｍ秒とするとき前記記録媒体の最大アクセス時間（前記ヘッドユニットが前記記録媒体の最内周から最外周に移動するのに要するシーク時間に前記記録媒体が１回転する時間を加えた時間）をＳ秒、前記入力されるディジタル動画像データの平均ビットトレートをＡ（ｂｐｓ）としたとき、第一のディジタル動画像データの記録速度を（Ｔ１＋Ｔ２＋Ｔ３＋…＋Ｔｍ＋ｍ＊Ｓ）＊Ａ／Ｔ１ｂｐｓ以上とし第二のディジタル動画像データの記録速度を（Ｔ１＋Ｔ２＋Ｔ３＋…＋Ｔｍ＋ｍ＊Ｓ）＊Ａ／Ｔ２ｂｐｓ以上とし第三のディジタル動画像データの記録速度を（Ｔ１＋Ｔ２＋Ｔ３＋…＋Ｔｍ＋ｍ＊Ｓ）＊Ａ／Ｔ３ｂｐｓ以上に設定する請求項１に記載のディスク装置。
【請求項１０】
前記ディジタル連続データは、ｍ個のディジタル動画像データを有し、前記制御部は、前記ｍ個の動画像を時間分割で同時再生するとき第一のディジタル動画像データの平均再生時間をＴ１秒、第二のディジタル動画像データの平均再生時間をＴ２秒、第３のディジタル動画像データの平均再生時間をＴ３秒、第ｍの動画像の再生時間をＴｍ秒、前記記録媒体の最大アクセス時間（前記ヘッドユニットが前記記録媒体の最内周から最外周に移動するのに要するシーク時間に前記記録媒体が１回転する時間を加えた時間）をＳ秒、前記再生されるディジタル動画像データの平均ビットレートをＡ（ｂｐｓ）としたとき、第一のディジタル動画像データの再生速度を（Ｔ１＋Ｔ２＋Ｔ３＋…＋Ｔｍ＋ｍ＊Ｓ）＊Ａ／Ｔ１ｂｐｓ以上とし第二のディジタル動画像データの再生速度を（Ｔ１＋Ｔ２＋Ｔ３＋…＋Ｔｍ＋ｍ＊Ｓ）＊Ａ／Ｔ２ｂｐｓ以上とし第三のディジタル動画像データの再生速度を（Ｔ１＋Ｔ２＋Ｔ３＋…＋Ｔｍ＋ｍ＊Ｓ）＊Ａ／Ｔ３ｂｐｓ以上とし、第ｍのディジタル動画像データの再生速度を（Ｔ１＋Ｔ２＋Ｔ３＋…＋Ｔｍ＋ｍ＊Ｓ）＊Ａ／Ｔｍｂｐｓ以上に設定する請求項３に記載のディスク装置。